(57)【要約】      （修正有）【課題】スイッチ類を配置する位置の自由度を高めることができ、操作性に優れた脱着パネル装置を提供する。【解決手段】情報を提供する情報提供装置に設けられる脱着パネル装置であって、情報提供装置の本体１から送られてくる情報を表示する表示パネル２と、表示パネルの一部分に着脱可能な操作装置１０とを備えている。表示パネル２に対する操作装置１０の装着の有無は、操作装置１０に設けられた発光素子の光を表示パネル２に設けられた受光素子で受光できるかどうかにより検出される。【選択図】図４
2007127881.tif 000002
【特許請求の範囲】
【請求項１】
情報を提供する情報提供装置に設けられる脱着パネル装置であって、
前記情報提供装置の本体から送られてくる情報を表示する表示パネルと、
前記表示パネルの一部分に着脱可能な操作装置
とを備えた脱着パネル装置。
【請求項２】
操作装置は、表示パネルの複数の部位に着脱可能である
ことを特徴とする請求項１記載の脱着パネル装置。
【請求項３】
表示パネルは、操作装置の着脱の有無および着脱の部位に応じて、表示する情報の位置を調整する
ことを特徴とする請求項２記載の脱着パネル装置。
【請求項４】
操作装置は、
表示パネルに装着されているときに該表示パネルとの間で無線通信を行う第１通信手段と、
前記表示パネルから取り外されているときに該表示パネルとの間で無線通信を行う第２通信手段
と備えたことを特徴とする請求項１記載の脱着パネル装置。
【請求項５】
第１通信手段による無線通信は、第２通信手段による無線通信より小さいパワーを有する電波または光によって行われる
ことを特徴とする請求項４記載の脱着パネル装置。
【請求項６】
情報提供装置は車載情報機器から成り、表示パネルは、液晶パネルを含む
ことを特徴とする請求項１記載の脱着パネル装置。
【発明の詳細な説明】
【技術分野】
【０００１】
この発明は、情報を提供する情報提供装置を操作するための操作装置を、その表示パネルに対して着脱可能にした脱着パネル装置に関する。
【背景技術】
【０００２】
近年の情報提供装置の１つとしての車載情報機器は、ナビゲーション装置を中心に、ラジオ受信機器、ＣＤ再生機器、ＭＤ再生機器およびＴＶ受信機器等が一体化された構造を有する。このような一体化された構造を有することにより、車両の運転者や乗員等が経路探索を行ったり、音楽や映像を鑑賞したりするといった多くの機能を搭載しているにもかかわらず小型化が可能になっており、スペース的に制約のある車内に配置するのに適している。
【０００３】
一方、近年の車載情報機器の機能の多様化および高度化に伴って、該車載情報機器に備えられている表示パネルに表示される情報量は増加する傾向にあり、表示パネルの大型化と高精細化が要求されている。このような要求に応えるためには、スィッチ等が配置された操作部を設けるスペースが限定されてしまうため、スイッチを小型化したり、１つのスイッチに複数の機能を割り付けるといった工夫がなされている。その結果、ユーザにとっては高機能な製品であるにもかかわらず使い勝手が悪いという問題が発生している。このような状況では、例えば運転者が車載情報機器を使用するときに、スイッチ類を注視する必要が生じて安全性が損なわれるという問題も発生する。
【０００４】
このような問題を解消するために、特許文献１は、スイッチ類が配置された蓋を装置本体から引き出して表示パネルに装着可能な構造を有する蓋付モニタを開示している。この蓋付モニタによれば、ユーザが必要とする時は、蓋を引き出して表示パネルの一部分に装着することにより、スイッチの押下が容易になり、操作性に優れるとともに利便性が向上する。一方、ユーザが必要としない時は、蓋の表示パネルヘの装着が解除されて装置本体に収納され、これにより表示パネルとしての視野を最大限に確保することができる。つまり、この蓋付モニタは、ユーザの好みに応じて操作性または視認性が選択可能な仕組みを有する。
【０００５】
また、特許文献２は、リモートコントロール装置が被制御装置と別体に備えられていることによる煩雑さ、および表示部の表示方向が一定であることの不便を解消して利便性を高めたリモートコントロール装置およびその表示方法を開示している。このリモートコントロール装置は、セット本体の前面パネルを分離できるようにして、兼用にするものであり、セット本体をそのまま使用するときは、前面パネルをセット本体の前面パネルとして使用し、セット本体を遠隔操作にて使用するときは、セット本体から前面パネルを取り外し、リモコン装置としてセット本体を遠隔操作する。
【０００６】
【特許文献１】特開２００４−３１７５８５号公報
【特許文献２】特開平０９−３２２２７８号公報
【発明の開示】
【発明が解決しようとする課題】
【０００７】
しかしながら、特許文献１に開示された蓋付モニタは、蓋を引き出して表示パネルに装着する構造であるため、蓋が装着される表示パネルの位置が固定される。その結果、操作位置から遠い位置、例えば運転席または助手席から遠い位置に存在するスイッチ類を操作する必要が生じて操作性に劣るという問題がある。また、特許文献２に開示されたリモートコントロール装置においても、リモコン装置を本体に取り付ける位置が固定されるので、上記と同様の問題がある。
【０００８】
この発明は、上述した問題を解消するためになされたものであり、その課題は、スイッチ類を配置する位置の自由度を高めることができ、操作性に優れた脱着パネル装置を提供することにある。
【課題を解決するための手段】
【０００９】
この発明に係る脱着パネル装置は、情報を提供する情報提供装置に設けられる脱着パネル装置であって、情報提供装置の本体から送られてくる情報を表示する表示パネルと、表示パネルの一部分に着脱可能な操作装置とを備えている。
【発明の効果】
【００１０】
この発明によれば、操作装置を表示パネルの一部分に脱着できるように構成したので、スイッチ類を配置する位置の自由度を高めることができ、操作性に優れた脱着パネル装置を提供できる。
【発明を実施するための最良の形態】
【００１１】
以下、この発明の実施の形態を、図面を参照しながら詳細に説明する。なお、以下では、情報提供装置として車載情報機器を使用した場合を例に挙げて説明する。
実施の形態１．
図１は、この発明の実施の形態１に係る脱着パネル装置が適用された車載情報機器の構成を示す外観斜視図である。この車載情報機器は、車載情報機器の本体１の前面に、ユーザに情報を提供するための表示パネル２が取り付けられた構造を有する。本体１には、例えばナビゲーション機能、ラジオ受信機能、ＣＤ再生機能、ＭＤ再生機能およびＴＶ受信機能等を実現するためのハードウェアおよびソフトウェアが収容されている。
【００１２】
図２は、表示パネル２の正面図である。この表示パネル２には、ユーザの視認性を確保するために、可能な限り表示画面を大きくした液晶パネル３が採用されている。この液晶パネル３の表示画面の全面には、静電式のタッチパネル５が貼り付けられている。また、表示パネル２の下端部には、ユーザが車載情報機器を操作するために使用される複数のプッシュスイッチ６が配置されており、さらに、表示パネル２の上端部の両側には、後述する操作部１０から送信される赤外線を受光するための第１受光センサ８および第２受光センサ９が配置されている。
【００１３】
図３（ａ）は、操作部１０の正面図であり、図３（ｂ）は、操作部１０の側面図である。操作部１０の表面側には、複数のプッシュスイッチ１１が設けられている。また、操作部１０の裏面側には、第１赤外線ダイオード１３、反射式の近接センサ１５および複数のマグネット１７が設けられている。さらに、操作部１０の上側面には、第２赤外線ダイオード１４が設けられている。
【００１４】
複数のプッシュスイッチ１１は、透明の樹脂で形成されており、操作部１０が表示パネル２に装着された場合は、表示パネル２のバックライト照明が透過するように構成されている。これにより、操作部１０の内部にＬＥＤ等の照明用の部品を設けて点灯しなくてもユーザの視認性を確保できる。その結果、操作部１０の消費電力を少なくすることができる。
【００１５】
第１赤外線ダイオード１３および第２赤外線ダイオード１４は、操作部１０で発生された信号を赤外線によって送信する。第１赤外線ダイオード１３は、この発明の第１通信手段の他の一部に対応し、第２赤外線ダイオード１４は、この発明の第２通信手段の他の一部に対応する。第１赤外線ダイオード１３から出力される赤外線のパワーは微弱であり、第２赤外線ダイオード１４から出力される赤外線のパワーは比較的大きい。
【００１６】
近接センサ１５は、操作部１０が表示パネル２に装着されているかどうかを検出する。この近接センサ１５は、例えば発光素子と受光素子とから構成されており、発光素子で発生された光の反射光を受光素子で受光できるかどうかによって、表示パネル２に対する操作部１０の装着の有無を検出する。すなわち、操作部１０が表示パネル２に装着された状態では、表示パネル２からの反射光が得られるため「装着」されていると判定され、操作部１０が表示パネル２に装着されていない状態では、表示パネル２からの反射光が得られないため「未装着」であると判定される。マグネット１７は、操作部１０を表示パネル２に固定（装着）するために使用される。
【００１７】
操作部１０は、マグネット１７によって表示パネル２の左端部または右端部のどちらにも装着可能である。図４は、操作部１０が表示パネル２の左端部に装着された状態を示し、図５は、操作部１０が表示パネル２の右端部に装着された状態を示す。図４に示すように、操作部１０が表示パネル２の左端部に装着された場合には、第１赤外線ダイオード１３が第１受光センサ８に対向し、これらの間で赤外線による無線通信が行われる。一方、図５に示すように、操作部１０が表示パネル２の右端部に装着された場合には、第１赤外線ダイオード１３が第２受光センサ９に対向し、これらの間で赤外線による無線通信が行われる。表示パネル２は、第１受光センサ８および第２受光センサ９のいずれと無線通信が可能であるかによって、操作部１０が表示パネル２のいずれの端部に装着されているかを判別する。
【００１８】
図６は、操作部１０が取り外されて使用されている状態を示す図である。操作部１０が表示パネル２から取り外された場合は、操作部１０を、例えばＴＶ受像器等のリモートコントローラ（以下、「リモコン」と略する）と同じ要領で使用することができる。この場合、操作部１０の第２赤外線ダイオード１４と第１受光センサ８および第２受光センサ９との間で赤外線による無線通信が行われる。
【００１９】
操作部１０は、近接センサ１５によって表示パネル２に「装着」されたと判定された場合は、操作部１０の裏面側に設けられた第１赤外線ダイオード１３を使用し、「未装着」と判定された場合は、操作部１０の上側面に設けられた第２赤外線ダイオード１４を使用して無線通信を行うように制御する。この使い分けにより、操作部１０の低消費電力化が実現されている。
【００２０】
上述した図４および図５に示した操作部１０の配置では、表示パネル２の液晶パネル３の一部が覆い隠されるので、液晶パネル３に表示される画像は、操作部１０によって覆い隠される部分を避けるようなデザインに変更される。一方、図６に示すように、操作部１０が表示パネル２から取り外されている場合は、液晶パネル３の全面を使用して、その中央に画像が表示される。
【００２１】
次に、表示パネル２の電気的な構成について説明する。図７は、表示パネル２のハードウェア構成を示すブロック図である。表示パネル２は、マイクロコンピュータ（以下、「マイコン」と略する）２０、描画ＬＳＩ２１、ＬＣＤドライバ２２およびビデオＲＡＭ（以下、「ＶＲＡＭ」と略する）２３から構成されている。
【００２２】
マイコン２０は、表示パネル２の全体を制御する。例えば、上述した表示パネル２に搭載された複数のプッシュスイッチ６、第１受光センサ８、第２受光センサ９およびタッチパネル５からの信号を受け取り、これらの信号に応じて画像を表示させるための処理を実行する。このマイコン２０で行われる処理は、後に詳細に説明する。
【００２３】
描画ＬＳＩ２１は、マイコン２０からの指示に応じて、表示すべき画像をＶＲＡＭ２３上の任意の位置に展開してデザイン画面を生成する。ＶＲＡＭ２３上での展開は、ＶＲＡＭ２３のメモリアドレスを液晶パネル３の画素配置とみなして、実際に表示されるイメージになるように行われる。例えば、図４に示すように、操作部１０が表示パネル２の左端部に装着されている場合は、図８（ａ）に示すように、ＶＲＡＭ２３上に右寄せで画像が展開される。図５に示すように、操作部１０が表示パネル２の右端部に装着されている場合は、図８（ｂ）に示すように、ＶＲＡＭ２３上に左寄せで画像が展開される。図６に示すように、操作部１０が表示パネル２から取り外されている場合は、図８（ｃ）に示すように、ＶＲＡＭ２３上の中央に画像が展開される。
【００２４】
ＶＲＡＭ２３は、描画ＬＳＩ２１およびＬＣＤドライバ２２の双方から任意のタイミングでアクセス可能なデュアルポートアクセス方式のメモリから構成されており、描画ＬＳＩによって生成されたデザイン画面を記憶する。このＶＲＡＭ２３上に展開されたデザイン画面は、周期的な時間間隔で、例えばＤＭＡ方式によって、ＬＣＤドライバ２２に転送される。
【００２５】
ＬＣＤドライバ２２は、ＶＲＡＭ２３から受け取った信号に基づき表示データを生成する。このＬＣＤドライバ２２において生成された表示データは、液晶パネル３に送られる。これにより、液晶パネル３に文字や図形が表示される。
【００２６】
以上のような回路構成により、描画ＬＳＩ２１は、必要に応じてＶＲＡＭ２３の内容を更新可能であり、ＬＣＤドライバ２２も、周期的にＶＲＡＭ２３の内容を読み込んで液晶パネル３に送ることが可能になるので、滑らかな表示を実現できる。
【００２７】
次に、上記のように構成される表示パネル２の動作を、図９に示すフローチャートを参照しながら説明する。この図９に示される処理は、主としてマイコン２０によって実行される。
【００２８】
この処理では、まず、第２受光センサ９からの受信があるかどうかが調べられる（ステップＳＴ１１）。このステップＳＴ１１において、第２受光センサ９からの受信がないことが判断されると、次いで、第１受光センサ８からの受信があるかどうかが調べられる（ステップＳＴ１２）。このステップＳＴ１２において、第１受光センサ８からの受信がないことが判断されると、シーケンスはステップＳＴ１１に戻り、以下、ステップＳＴ１１およびＳＴ１２の処理が繰り返し実行される。
【００２９】
このステップＳＴ１１およびＳＴ１２の繰り返し実行の途中で、ステップＳＴ１２において、第１受光センサ８からの受信があることが判断されると、図４に示すように、操作部１０が表示パネル２の左端部に装着されていることが認識される（ステップＳＴ１３）。そして、液晶パネル３に表示させる画像として、図８（ａ）に示すように、右寄せになるような画像が生成される（ステップＳＴ１４）。その後、シーケンスは、ステップＳＴ１１に戻る。
【００３０】
上記ステップＳＴ１１およびＳＴ１２の繰り返し実行の途中で、ステップＳＴ１１において、第２受光センサ９からの受信があることが判断されると、次いで、第１受光センサ８からの受信があるかどうかが調べられる（ステップＳＴ１５）。このステップＳＴ１５において、第１受光センサ８からの受信がないことが判断されると、図５に示すように、操作部１０が表示パネル２の右側に装着されていることが認識される（ステップＳＴ１６）。そして、液晶パネル３に表示させる画像として、図８（ｂ）に示すように、左寄せになるような画像が生成される（ステップＳＴ１７）。その後、シーケンスは、ステップＳＴ１１に戻る。
【００３１】
上記ステップＳＴ１５において、第１受光センサ８からの受信がないことが判断されると、図６に示すように、操作部１０が表示パネル２から取り外されていることが認識される（ステップＳＴ１８）。そして、液晶パネル３に表示させる画像として、図８（ｃ）に示すように、中央に位置するような画像が生成される（ステップＳＴ１９）。その後、シーケンスは、ステップＳＴ１１に戻る。
【００３２】
次に、操作部１０の電気的な構成について説明する。図１０は、操作部１０のハードウェア構成を示すブロック図である。操作部１０は、マイコン３０および電源３２から構成されている。電源３２は、例えば電池から構成されており、マイコン３０や操作部１０を構成する他の電気回路（図示しない）の電源として使用される。
【００３３】
マイコン３０には、上述した複数のプッシュスイッチ１１、第１赤外線ダイオード１３、第２赤外線ダイオード１４および近接センサ１５が接続されている。マイコン３０は、エンコード処理部５１、第１赤外線通信ポート５２、第２赤外線通信ポート５３および判別／切替回路５４から構成されている。第１赤外線通信ポート５２は、この発明の第１通信手段のさらに他の一部に対応し、第２赤外線通信ポート５３は、この発明の第２通信手段のさらに他の一部に対応する。
【００３４】
エンコード処理部５１は、複数のプッシュスイッチ１１から送られてくる信号をエンコードすることにより、複数のプッシュスイッチ１１の中のいずれのプッシュスイッチが押されたかを示す信号を生成し、第１赤外線通信ポート５２および第２赤外線通信ポート５３に送る。
【００３５】
第１赤外線通信ポート５２は、赤外線通信用の出カポートであり、判別／切替回路５４から送られてくる信号が、操作部１０が表示パネル２に「装着」されていることを示している場合はＯＮにされ、エンコード処理部５１から送られてくる信号を第１赤外線ダイオード１３に送る。これにより、第１赤外線ダイオード１３から赤外線が送信される。
【００３６】
第２赤外線通信ポート５３は、赤外線通信用の出カポートであり、判別／切替回路５４から送られてくる信号が、操作部１０が表示パネル２に「未装着」であることを示している場合はＯＮにされ、エンコード処理部５１から送られてくる信号を第２赤外線ダイオード１４に送る。これにより、第２赤外線ダイオード１４から赤外線が送信される。
【００３７】
判別／切替回路５４は、近接センサ１５に駆動信号を送るとともに、この駆動信号に応答して近接センサ１５から反射があることを表す信号が返ってきた場合は、操作部１０が表示パネル２に「装着」されていることを示す信号を第１赤外線通信ポート５２に送る。一方、判別／切替回路５４は、駆動信号に応答して近接センサ１５から反射がないことを表す信号が返ってきた場合は、操作部１０が表示パネル２に「未装着」であることを示す信号を第２赤外線通信ポート５３に送る。
【００３８】
次に、上記のように構成される操作部１０の動作を、図１１に示すフローチャートを参照しながら説明する。この図１１に示される処理は、主としてマイコン３０によって実行される。
【００３９】
この処理では、まず、近接センサ１５が、操作部１０が表示パネル２に装着されていることを検知したかどうかが調べられる（ステップＳＴ２１）。このステップＳＴ２１において、操作部１０が表示パネル２に装着されていることを検知したことが判断されると、操作部１０はリモコンとして使用されていない、つまり操作部１０が表示パネル２に装着されていることが認識される（ステップＳＴ２２）。そして、第１赤外線通信ポート５２がＯＮにされる（ステップＳＴ２３）。次いで、第１赤外線ダイオード１３を使用してデータが送信される（ステップＳＴ２４）。その後、シーケンスはステップＳＴ２１に戻る。
【００４０】
上記ステップＳＴ２１において、近接センサ１５が、操作部１０が表示パネル２に装着されていることを検知したことが判断されると、操作部１０はリモコンとして使用されている、つまり操作部１０が表示パネル２から取り外されていることが認識される（ステップＳＴ２５）。そして、第２赤外線通信ポート５３がＯＮにされる（ステップＳＴ２６）。次いで、第２赤外線ダイオード１４を使用してデータが送信される（ステップＳＴ２７）。その後、シーケンスはステップＳＴ２１に戻る。
【００４１】
以上説明したように、この発明の実施の形態１に係る脱着パネル装置によれば、ユーザ（運転者）が操作性や視認性、または好みに応じて、操作部１０を表示パネル２の左または右の端部に装着して使用することが可能であり、また、運転席が左にある車に対しても柔軟に対応することができる。また、操作部１０を表示パネル２から取り外して使用する場合には、表示パネル２の全表示面を使用することができる。また、操作部１０と表示パネル２との間の無線通信は、操作部１０が表示パネル２に装着されているか否かにかかわらず赤外線によって行われるので、ケーブルの制約が無く、設置の自由度を確保することができる。
【００４２】
なお、上述した実施の形態１に係る脱着パネル装置では、操作部１０と表示パネル２との間の無線通信は赤外線といった光を使用して行うように構成したが、微弱な電波を使用して行うように構成することもでき、この場合も上述した赤外線を使用して無線通信を行う場合と同様の作用および効果を奏する。
【００４３】
また、上述した実施の形態１に係る脱着パネル装置では、表示パネル２の左または右端部に操作部１０を装着するように構成したが、表示パネル２の上または下端部に操作部１０を装着するように構成することもできる。
【図面の簡単な説明】
【００４４】
【図１】この発明の実施の形態１に係る脱着パネル装置が適用された車載情報機器の構成を示す外観斜視図である。
【図２】図１に示した表示パネルの正面図である。
【図３】図１に示した操作部の正面図および側面図である。
【図４】この発明の実施の形態１に係る脱着パネル装置の操作部が表示パネルの左端部に装着された状態を示す図である。
【図５】この発明の実施の形態１に係る脱着パネル装置の操作部が表示パネルの右端部に装着された状態を示す図である。
【図６】この発明の実施の形態１に係る脱着パネル装置の操作部が表示パネルから取り外された状態を示す図である。
【図７】この発明の実施の形態１に係る脱着パネル装置の表示パネルのハードウェア構成を示すブロック図である。
【図８】この発明の実施の形態１に係る脱着パネル装置の表示パネルで使用されるＶＲＡＭ上の画像の位置を説明するための図である。
【図９】この発明の実施の形態１に係る脱着パネル装置の表示パネルの動作を示すフローチャートである。
【図１０】この発明の実施の形態１に係る脱着パネル装置の操作部のハードウェア構成を示すブロック図である。
【図１１】この発明の実施の形態１に係る脱着パネル装置の操作部の動作を示すフローチャートである。
【符号の説明】
【００４５】
１  本体、２  表示パネル、３  液晶パネル、５  タッチパネル、６  プッシュスイッチ、８  第１受光センサ（第１通信手段）、９  第２受光センサ（第２通信手段）、１０  操作部（操作装置）、１１  プッシュスイッチ、１３  第１赤外線ダイオード（第１通信手段）、１４  第２赤外線ダイオード（第２通信手段）、１５  近接センサ、１７  マグネット、２０  マイコン、２１  描画ＬＳＩ、２２  ＬＣＤドライバ、２３  ＶＲＡＭ、３０  マイコン、３２  電源、５１  エンコード処理部、５２  第１赤外線通信ポート（第１通信手段）、５３  第２赤外線通信ポート（第２通信手段）、５４  判別／切替回路。
【図１】
2007127881.tif 000003
【図２】
2007127881.tif 000004
【図３】
2007127881.tif 000005
【図４】
2007127881.tif 000006
【図５】
2007127881.tif 000007
【図６】
2007127881.tif 000008
【図７】
2007127881.tif 000009
【図８】
2007127881.tif 000010
【図９】
2007127881.tif 000011
【図１０】
2007127881.tif 000012
【図１１】
2007127881.tif 000013
【手続補正書】
【提出日】平成18年5月15日(2006.5.15)
【手続補正１】
【補正対象書類名】明細書
【補正対象項目名】００３１
【補正方法】変更
【補正の内容】
【００３１】
上記ステップＳＴ１５において、第１受光センサ８からの受信があることが判断されると、図６に示すように、操作部１０が表示パネル２から取り外されていることが認識される（ステップＳＴ１８）。そして、液晶パネル３に表示させる画像として、図８（ｃ）に示すように、中央に位置するような画像が生成される（ステップＳＴ１９）。その後、シーケンスは、ステップＳＴ１１に戻る。
【手続補正２】
【補正対象書類名】明細書
【補正対象項目名】００３９
【補正方法】変更
【補正の内容】
【００３９】
この処理では、まず、近接センサ１５が、操作部１０が表示パネル２に装着されていることを検知したかどうかが調べられる（ステップＳＴ２１）。このステップＳＴ２１において、操作部１０が表示パネル２に装着されていることを検知したと判断されると、操作部１０はリモコンとして使用されていない、つまり操作部１０が表示パネル２に装着されていることが認識される（ステップＳＴ２２）。そして、第１赤外線通信ポート５２がＯＮにされる（ステップＳＴ２３）。次いで、第１赤外線ダイオード１３を使用してデータが送信される（ステップＳＴ２４）。その後、シーケンスはステップＳＴ２１に戻る。
【手続補正３】
【補正対象書類名】明細書
【補正対象項目名】００４０
【補正方法】変更
【補正の内容】
【００４０】
上記ステップＳＴ２１において、近接センサ１５が、操作部１０が表示パネル２に装着されていないことを検知したと判断されると、操作部１０はリモコンとして使用されている、つまり操作部１０が表示パネル２から取り外されていることが認識される（ステップＳＴ２５）。そして、第２赤外線通信ポート５３がＯＮにされる（ステップＳＴ２６）。次いで、第２赤外線ダイオード１４を使用してデータが送信される（ステップＳＴ２７）。その後、シーケンスはステップＳＴ２１に戻る。
【手続補正４】
【補正対象書類名】図面
【補正対象項目名】図１１
【補正方法】変更
【補正の内容】
【図１１】
2007127881.tif 000014